(57)【要約】【課題】コンパクトな構成により、レンズ鏡筒でのストロボ光線のケラレを回避するストロボ機構を提供する。【解決手段】ストロボ機構は、収納状態からポップアップすることでストロボを使用可能にする。そしてストロボ機構は、ベース部材と、ベース部材に対して一方向に移動可能に保持されるスライド部材と、スライド部材に設置されるストロボ部と、ストロボ部に対して電力を与えるコンデンサと、を備え、コンデンサは、スライド部材の壁で形成される領域の内側に配置される。【選択図】図５
2015099355.tif 000002
【特許請求の範囲】
【請求項１】
収納状態からポップアップすることでストロボを使用可能にするストロボ機構であって、
ベース部材と、
前記ベース部材に対して一方向に移動可能に保持されるスライド部材と、
前記スライド部材に設置されるストロボ部と、
前記ストロボ部に対して電力を与えるコンデンサと、
を備え、
前記コンデンサは、前記スライド部材の壁で形成される領域の内側に配置される、
ストロボ機構。
【請求項２】
前記ベース部材は、コの字状を有し、
前記スライド部材は、前記ベース部材よりも小さいコの字状を有し、
前記コンデンサは、前記スライド部材で形成されるコの字の内側に配置される、
請求項１に記載のストロボ機構。
【請求項３】
前記ストロボ部は、前記スライド部材と、アームで接続され、
前記ストロボ部は、収納状態からポップアップすると、前記アームにより、被写体側に移動する、
請求項１又は請求項２に記載のストロボ機構。
【請求項４】
前記ストロボ部は、電気配線を有し、
前記スライド部材は、前記電気配線をガイドする円弧状のガイド部を備える、
請求項１から請求項３のいずれかに記載のストロボ機構。
【請求項５】
前記スライド部材は、付勢部材によって収納状態からポップアップされるように構成されており、
前記スライド部材は、前記スライド部材を通過する前記電気配線と、前記付勢部材との間に、壁を有する、
請求項４に記載のストロボ機構。
【請求項６】
前記ストロボ部は、前記収納状態において、２箇所以上で保持され、当該保持が解除されるとポップアップする、
請求項１から請求項５のいずれかに記載のストロボ機構。
【発明の詳細な説明】
【技術分野】
【０００１】
本開示は、撮像装置等に用いられるストロボ機構に関する。
【背景技術】
【０００２】
特許文献１は、ストロボを内蔵する撮像装置を開示する。特許文献１は、ストロボが、上方にスライドし、かつ、側面側にアームを用いて回転される構成を開示している。
【先行技術文献】
【特許文献】
【０００３】
【特許文献１】特開２０１２−２４２４９８号公報
【発明の概要】
【発明が解決しようとする課題】
【０００４】
本開示は、コンパクトな構成でのレンズ鏡筒でのストロボ光線のケラレを回避するストロボ機構を提供する。
【課題を解決するための手段】
【０００５】
本開示におけるストロボ機構は、収納状態からポップアップすることでストロボを使用可能にする。そしてストロボ機構は、ベース部材と、ベース部材に対して一方向に移動可能に保持されるスライド部材と、スライド部材に設置されるストロボ部と、ストロボ部に対して電力を与えるコンデンサと、を備え、コンデンサは、スライド部材の壁で形成される領域の内側に配置される。
【発明の効果】
【０００６】
本開示におけるストロボ機構は、レンズ鏡筒での光線のケラレ回避に有効である。
【図面の簡単な説明】
【０００７】
【図１】実施の形態１におけるカメラの斜視図
【図２】実施の形態１におけるカメラの正面図
【図３】実施の形態１におけるカメラの上面図
【図４】実施の形態１におけるカメラの右側面図
【図５】（Ａ）実施の形態１におけるストロボ機構（クローズ状態）の左前方斜視図、（Ｂ）実施の形態１におけるストロボ機構（オープン状態）の左前方斜視図
【図６】（Ａ）実施の形態１におけるストロボ機構（クローズ状態）の背面図、（Ｂ）実施の形態１におけるストロボ機構（オープン状態）の背面図
【図７】（Ａ）実施の形態１におけるストロボ機構（クローズ状態）の右側面図、（Ｂ）実施の形態１におけるストロボ機構（オープン状態）の右側面図
【図８】（Ａ）実施の形態１におけるストロボ機構（クローズ状態）の左側面図、（Ｂ）実施の形態１におけるストロボ機構（オープン状態）の左側面図
【図９】（Ａ）実施の形態１におけるストロボ機構（クローズ状態）の右後方斜視図、（Ｂ）実施の形態１におけるストロボ機構（オープン状態）の右後方斜視図
【図１０】（Ａ）実施の形態１におけるストロボ機構（クローズ状態）のアームと電気配線の説明図、（Ｂ）実施の形態１におけるストロボ機構（オープン状態）のアームと電気配線の説明図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
［１−１．カメラの構成］
図１は、カメラの斜視図である。図１は、カメラ筐体２００に対してストロボ機構１００が収納された状態（クローズ状態）を示している。カメラは、カメラ筐体２００に対して、ストロボ機構１００を収納することができる。
【００１１】
図２は、カメラの正面図、図３は、カメラの上面図、図４は、カメラの右側面図である。図２〜図４は、カメラ筐体２００に対してストロボ機構１００がポップアップした状態（オープン状態）を示している。カメラは、カメラ筐体２００に対して、ストロボ機構１００がポップアップするように構成される。
【００１２】
図２及び図３に示すように、ストロボ機構１００は、ストロボ発光部１１０、アーム１２０、スライド部材１３０、ロック部材１４０、操作部１４２及びリンク部材１５０を備える。使用者は、図３に示す操作部１４２をオープン方向（矢印の示す方向）に操作することで、ストロボ発光部１１０を、収納状態（クローズ状態）からポップアップ状態（オープン状態）に変化させることが可能である。
【００１３】
本実施の形態に示すカメラは、カメラボディと交換レンズで構成される。図４に示すように、ストロボ機構１００がポップアップすることにより、交換レンズの鏡筒先端によるケラレが発生しない位置に、ストロボ発光部１１０が移動する。即ち、ストロボ機構１００のオープン状態において、ストロボ発光部１１０のフラッシュ光線の下限は交換レンズの鏡筒先端によって遮られない。
【００１４】
ここで、発明者は、カメラボディの高さ（Ｈ）及びカメラボディの厚み（Ｄ）をより軽減できるストロボ機構１００を考案した。
【００１５】
［１−２．ストロボ機構の構成］
図５（Ａ）は、ストロボ機構（クローズ状態）の左前方斜視図であり、図５（Ｂ）は、ストロボ機構（オープン状態）の左前方斜視図である。図６（Ａ）は、ストロボ機構（クローズ状態）の背面図であり、図６（Ｂ）は、ストロボ機構（オープン状態）の背面図である。図７（Ａ）は、ストロボ機構（クローズ状態）の右側面図であり、図７（Ｂ）は、ストロボ機構（オープン状態）の右側面図である。図８（Ａ）は、ストロボ機構（クローズ状態）の左側面図であり、図８（Ｂ）は、ストロボ機構（オープン状態）の左側面図である。図９（Ａ）は、ストロボ機構（クローズ状態）の右後方斜視図であり、図９（Ｂ）は、ストロボ機構（オープン状態）の右後方斜視図である。図１０（Ａ）は、ストロボ機構（クローズ状態）のアームと電気配線の説明図であり、図１０（Ｂ）は、ストロボ機構（オープン状態）のアームと電気配線の説明図である。
【００１６】
図５（Ａ）及び図５（Ｂ）に示すように、ストロボ機構１００は、ストロボ発光部１１０と、アーム１２０と、スライド部材１３０と、ロック部材１４０と、リンク部材１５０と、ベース部材１６０と、バネ１７１〜１７４と、ロック部材１８０と、リード線１９０と、コンデンサ３００と、を備える。
【００１７】
ストロボ発光部１１０は、リード線１９０及び基板を介して、コンデンサ３００と電気的に接続されている。ストロボ機構１００は、ストロボ発光部１１０の発光により、被写体を照射することが可能である。
【００１８】
アーム１２０は、ストロボ発光部１１０とスライド部材１３０とを繋ぎ、ストロボ発光部１１０を被写体側に移動させるための部材である。アーム１２０は、図７（Ｂ）に示すように、アーム立上部１２０Ａとアーム前傾部１２０Ｂによって、略Ｌ字形状に形成されている。オープン状態では、アーム１２０は、図５（Ａ）及び図５（Ｂ）に示す軸１３８を中心に回転し、スライド部材１３０に対してストロボ発光部１１０を持ち上げながら被写体側に移動させる。クローズ状態では、図１０（Ａ）に示すように、アーム立上部１２０Ａとアーム前傾部１２０Ｂにより形成される窪み部分に、ストロボ発光部１１０が収納される。
【００１９】
また、アーム１２０の内側には、リード線１９０が配置される。図１０（Ａ）及び図１０（Ｂ）に示すように、リード線１９０はアーム１２０の内部を通ってストロボ発光部１１０に接続される。さらに、図７（Ａ）及び図７（Ｂ）に示すように、スライド部材１３０は、リード線１９０の配線をガイドする円弧状のガイド部１３６を有する。ガイド部１３６は、ストロボ機構１００がオープン状態とクローズ状態とを切り替わるときに、リード線１９０を適切な位置にガイドする。図１０（Ａ）及び図１０（Ｂ）に示すように、クローズ状態とオープン状態において、ガイド部１３６はリード線１９０をガイドする。ストロボ機構１００は、ベース部材１６０を上下方向に移動するスライド部材１３０と、前後方向に回転移動するアーム１２０という可動部を備えているので、リード線１９０の断線等を抑制するために、ガイド部１３６がリード線１９０を適切な位置にガイドすることが必要である。
【００２０】
スライド部材１３０は、ベース部材１６０に対してストロボ発光部１１０を上下方向に移動させるための部材であり、図５（Ａ）及び図５（Ｂ）に示すように、クローズ状態で下方に位置し、オープン状態で上方に位置する。図６（Ａ）及び図６（Ｂ）に示すように、スライド部材１３０は、正面壁１３７Ａ、右側壁１３７Ｂ、中央壁１３７Ｃ、左側壁１３７Ｄ、背面壁１３７Ｅ及び右側壁１３７Ｂの下方に形成された突出部１３９を有する。そして、スライド部材１３０には、正面壁１３７Ａ、右側壁１３７Ｂ及び中央壁１３７Ｃに囲まれ、水平方向の断面がコの字状の中空領域が形成されている。このコの字状の内側の中空領域にコンデンサ３００が配置され、中空領域が有効活用される。これはカメラボディの小型化に寄与する。スライド部材１３０は、コンデンサ３００に接触しないような位置で、カメラ筐体２００に固定されているコンデンサ３００に対して相対的に移動する。
【００２１】
また、スライド部材１３０には、正面壁１３７Ａ、中央壁１３７Ｃ及び左側壁１３７Ｄに囲まれ、水平方向の断面がコの字状の中空領域が形成されている。このコの字状の内側の中空領域にバネ１７１が配置される。中央壁１３７Ｃは、リード線１９０がバネ１７１側に移動してバネ１７１に挟まれてしまうこと等が発生しないように設けられている。バネ１７１は、その下端がベース部材１６０に固定され、スライド部材１３０がベース部材１６０に対して上下に移動するように付勢する。
【００２２】
また、図７（Ａ）及び図７（Ｂ）に示すスライド部材１３０の右側壁１３７Ｂの下方に形成された突出部１３９は、ストロボ機構１００がオープン状態であるか否かを検出するために用いられる。すなわち、カメラ筐体２００に設けられた検出部２１０が、スライド部材１３０の突出部１３９の有無を検出することによって、ストロボ機構１００がオープン状態であるか否かを判断する。本実施の形態では、検出部２１０は、図７（Ａ）、図７（Ｂ）及び図９（Ａ）、図９（Ｂ）に示す破線で囲まれた箇所に配置され、図７（Ｂ）に示すように、突出部１３９が検出部２１０の位置にあるとき、検出部２１０は突出部１３９を検知し、ストロボ機構１００のオープン状態を検出する。
【００２３】
ベース部材１６０は、スライド部材１３０を上下方向に移動可能に保持する。ベース部材１６０は、金属で形成され、カメラ筐体２００に保持されている。したがって、スライド部材１３０は、カメラ筐体２００に対して、相対的に上下方向に移動する。ベース部材１６０は、水平方向の断面の少なくとも一部がスライド部材１３０よりも大きいコの字状であり、図６（Ａ）及び図６（Ｂ）に示すように、外側からスライド部材１３０を保持する。そのため、スライド部材１３０は、ベース部材１６０の内側を移動し、より安定して移動することができる。
【００２４】
ベース部材１６０は、スライド部材１３０を内側で移動可能に保持するため、図７（Ａ）及び図７（Ｂ）に示すように、右側面にガイド溝１６１を有し、図８（Ａ）及び図８（Ｂ）に示すように、左側面にガイド溝１６２、を有する。ガイド溝１６２の内側には、スライド部材１３０の左側面に形成されるガイドリブ１３１が摺動可能に配置される。また、ガイド溝１６１の内側には、スライド部材１３０の右側面に形成されるガイドリブ１３２、ガイドリブ１３３が摺動可能に配置される。ガイドリブ１３１、１３２、１３３が、ガイド溝１６１、ガイド溝１６２に沿って移動することにより、スライド部材１３０は、ベース部材１６０に対し上下に移動する。また、ガイドリブ１３２とガイドリブ１３３がガイド溝１６１を摺動して移動することで、クローズ状態からオープン状態にスライド部材１３０が変化する際のストロボ機構１００のガタツキが軽減される。以下にその理由を説明する。
【００２５】
例えば、ベース部材１６０の右側面に形成されるガイドリブが１ヶ所の場合、右側面及び左側面のガイドリブを結ぶ線を軸として、スライド部材１３０が回転し、ガタツキが発生しやすい。この場合、ガイドリブを細長く形成することで、１ヶ所の場合でも、ガタツキを防止することが可能であるが、ガイドリブとガイド溝との摺動面が広くなるため摩擦抵抗が大きくなる。そのため、本実施の形態では、スライド部材１３０の右側面の上下２ヵ所にガイドリブ１３２、１３３を形成することにより、ガタツキが防止され、かつ、摩擦がより小さくなって、スライド部材１３０の移動が安定する。
【００２６】
ベース部材１６０には、図９（Ａ）及び図９（Ｂ）に示すように、スライド部材１３０との間に、バネ１７１が配置される。バネ１７１は、スライド部材１３０に対し、上方への付勢力を与える。ストロボ発光部１１０は、クローズ状態で、図５（Ａ）及び図５（Ｂ）に示すロック部材１４０及びロック部材１８０のロックが外されると、バネ１７１の付勢力により、上方に移動する。このように、ベース部材１６０に対するスライド部材１３０とバネ１７１とにより、ストロボ機構１００のスライド機構が実現されている。
【００２７】
リンク部材１５０は、金属材料で構成され、ストロボ発光部１１０とスライド部材１３０を繋ぐ部材である。図５（Ｂ）及び図６（Ｂ）に示すように、リンク部材１５０には、ストロボ発光部１１０との間に、バネ１７３が配置され、スライド部材１３０との間に、バネ１７２が配置される。バネ１７２は、軸１３８を中心にして、スライド部材１３０とアーム１２０を離れる方向に付勢する。また、バネ１７３は、軸１２８を中心にして、アーム１２０とストロボ発光部１１０とを離れる方向に付勢する。このため、ストロボ発光部１１０は、クローズ状態でロック部材１４０及びロック部材１８０のロックが外されると、スライド部材１３０から立ち上がって被写体側に移動し、ストロボの照射方向が被写体側に向けられる。上述した構成により、スライド部材１３０に対するバネ１７２とリンク部材１５０とバネ１７３とで、アーム１２０の回転機構が実現されている。なお、リンク部材１５０は、図６（Ｂ）に示すように、接続部１５１でアーム１２０に対して接続されており、ストロボ機構１００のオープン／クローズ状態が切り替わる際にアーム１２０と一体となって軸１３８に対して回転する。
【００２８】
次に、ストロボ機構１００のオープン状態とクローズ状態とを切り替えるためのロック機構について説明する。図５（Ａ）及び図５（Ｂ）に示すように、ロック部材１４０は、連結部１４１、操作部１４２、ツメ部１４４、バネ１７４を有する。ロック部材１８０は、連結部１８１、ツメ部１８８を有する。ロック部材１４０の連結部１４１は、ロック部材１８０の連結部１８１と係合し、ロック部材１４０とロック部材１８０との一体的な移動が実現される。操作部１４２は、使用者による操作がなされるスライドレバーである。ツメ部１４４は、バネ１７４によりストロボ発光部１１０の方向に付勢力を与えられている。クローズ状態では、ロック部材１４０のツメ部１４４がストロボ発光部１１０のツメ掛かり部１１４に挿入される。ロック部材１８０の連結部１８１は連結部１４１に係合しているので、ツメ部１８８も、バネ１７４によりストロボ発光部１１０の方向に付勢力を与えられている。クローズ状態では、ロック部材１８０のツメ部１８８がストロボ発光部１１０のツメ掛かり部１１８に挿入される。このように、ツメ部１４４がツメ掛かり部１１４に挿入され、かつ、ツメ部１８８がツメ掛かり部１１８に挿入されることで、ストロボ発光部１１０はクローズ状態を保持する。
【００２９】
そして、操作部１４２が、バネ１７４の付勢力に抗して、図３に示すオープン方向に操作されると、ロック部材１４０とロック部材１８０のロック機構が解除されて、ストロボ機構１００はクローズ状態からオープン状態に移行する。また、オープン状態において、使用者が、ロック部材１４０及びロック部材１８０によるロック機構が働く位置まで、カメラ筐体２００に対してストロボ機構１００を押し下げることにより、ストロボ機構１００はクローズ状態になる。
【００３０】
ストロボ発光部１１０は、クローズ状態で、バネ１７１、バネ１７２、バネ１７３の付勢力により、上向きの力を受けている。そのため、ストロボ発光部１１０をツメ部１４４とツメ部１８８の２箇所（図８（Ａ）に破線で示すＡ部とＢ部）で保持することにより、ストロボ発光部１１０の前端部１１０Ａ又は後端部１１０Ｂがクローズ状態で浮いてしまうという不具合が抑制される。
【００３１】
クローズ状態で使用者が操作部１４２をオープン方向に移動させると、ロック部材１４０の移動に伴い、ロック部材１８０が移動する。これにより、ツメ部１４４及びツメ部１８８がツメ掛かり部１１４及びツメ掛かり部１１８から解除される。その結果、バネ１７１、バネ１７２、バネ１７３の付勢力により、ストロボ発光部１１０がオープン状態の位置まで移動される。
【００３２】
また、図７（Ｂ）に示すように、スライド部材１３０には、板バネ１７５が取り付けられている。板バネ１７５は、導電性の部材である。板バネ１７５は、金属で形成されたリンク部材１５０と、ベース部材１６０とを接続している。ベース部材１６０は、カメラの接地（グラウンド）に接続されている。これにより、リンク部材１５０で発生した静電気は、板バネ１７５及びベース部材１６０を通って接地に導かれ、カメラの静電気除去性能が向上する。
【００３３】
［１−３．効果等］
ストロボ機構１００では、スライド機構による上方への移動とアーム１２０の回転機構による被写体側への移動とにより、ストロボ発光部１１０がポップアップする。かかる構成により、ストロボ機構１００の小型化を実現しつつ、かつ、レンズ鏡筒によるストロボ光線のケラレをより軽減できる。
【００３４】
ストロボ機構１００では、ベース部材１６０とスライド部材１３０の内側に形成される中空領域にコンデンサ３００が配置される。かかる構成により、コンデンサ３００を効率的に配置でき、装置全体の小型化が可能になる。
【００３５】
ストロボ機構１００では、スライド部材１３０にガイド部１３６が設けられる。これにより、スライド機構とアーム１２０の回転機構の可動に対して、リード線１９０の断線が抑制される。
【００３６】
ストロボ機構１００では、スライド部材１３０のバネ１７１と隣接する位置に中央壁１３７Ｃを設けた。かかる構成により、バネ１７１にリード線１９０が挟まれるという動作不良（上下動不良）が軽減される。そのため、リード線１９０の断線もより軽減される。
【００３７】
ストロボ機構１００では、クローズ状態において、ストロボ発光部１１０はロック部材１４０及びロック部材１８０により２箇所で保持される。かかる構成により、スライド機構とアーム１２０の回転機構によるポップアップを実現するために、クローズ状態においてバネによる付勢力が働いている場合に、ストロボ発光部１１０の浮きがより軽減できる。
【００３８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００３９】
実施の形態１では、ロック部材１４０とロック部材１８０を別部材で構成したが、一体で構成してもよい。
【００４０】
また、実施の形態１では、ストロボ発光部１１０をロック部材１４０及びロック部材１８０によって２箇所で保持したが、１箇所でも、３箇所以上でも良い。なお、２箇所以上で保持することが、ストロボ発光部１１０の浮きを防止するためには好ましい。
【００４１】
また、実施の形態１では、リード線１９０は電源線２本及び信号線２本を一つにまとめているが、必ずしも一つにまとめなくてもよい。
【００４２】
以上のように、本開示における技術の例示として、実施の形態を説明した。そのために、添付図面および詳細な説明を提供した。
【００４３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４４】
また、上述の実施の形態は、本開示における技術を例示するためのものであるから、特許請求の範囲またはその均等の範囲において種々の変更、置き換え、付加、省略などを行うことができる。
【産業上の利用可能性】
【００４５】
本開示は、撮像装置等に用いられるストロボ機構に適用可能である。具体的には、デジタルスチルカメラ、ミラーレスカメラ、一眼レフカメラ、ムービーカメラなどに、本開示は適用可能である。
【符号の説明】
【００４６】
１００    ストロボ機構
１１０    ストロボ発光部
１１４、１１８    ツメ掛かり部
１２０    アーム
１２０Ａ    アーム立上部
１２０Ｂ    アーム前傾部
１２８    軸
１３０    スライド部材
１３１、１３２、１３３    ガイドリブ
１３６    ガイド部
１３７Ａ    正面壁
１３７Ｂ    右側壁
１３７Ｃ    中央壁
１３７Ｄ    左側壁
１３７Ｅ    背面壁
１３８    軸
１３９    突出部
１４０    ロック部材
１４１    連結部
１４２    操作部
１４４    ツメ部
１５０    リンク部材
１５１    接続部
１６０    ベース部材
１６１、１６２    ガイド溝
１７１、１７２、１７３、１７４    バネ
１７５    板バネ
１８０    ロック部材
１８１    連結部
１８８    ツメ部
１９０    リード線
２００    カメラ筐体
２１０    検出部
３００    コンデンサ
【図１】
2015099355.tif 000003
【図２】
2015099355.tif 000004
【図３】
2015099355.tif 000005
【図４】
2015099355.tif 000006
【図５】
2015099355.tif 000007
【図６】
2015099355.tif 000008
【図７】
2015099355.tif 000009
【図８】
2015099355.tif 000010
【図９】
2015099355.tif 000011
【図１０】
2015099355.tif 000012